(57)【要約】【課題】ベッド本体の側部材に側柵を容易にしかも確実に取付け固定できるようにしたベッド装置を提供することにある。【解決手段】側柵を支持する短管２６を有する支持部材２５と、支持部材に突設されベッドフレーム２の側部材３の側面に設けられた取付け孔３２ａ，３２ｂに挿通される取付けねじ２９と、取付け孔に挿通された取付けねじの端部に螺合され支持部材を側部材に着脱可能に取付け固定するめねじ３８と、取付け孔に挿通された取付けねじにめねじを螺合して支持部材を側部材に固定する前に、支持部材が取付け孔に挿通支持された取付けねじを中心とする回転方向に動くのを阻止する係合孔２７ｄと係合ピン３６を具備する。【選択図】      図２
2008012054.tif 000002
【特許請求の範囲】
【請求項１】
ベッドフレームの側部材に被取付け体が保持されるベッド装置であって、
上記被取付け体を支持する支持部を有する支持部材と、
この支持部材に突設され上記ベッドフレームの側部材の側面に設けられた取付け孔に挿通される取付けねじと、
上記取付け孔に挿通された上記取付けねじの端部に螺合され上記支持部材を上記側部材に着脱可能に取付け固定するめねじと、
上記取付け孔に挿通された上記取付けねじに上記めねじを螺合して上記支持部材を上記側部材に固定する前に、この支持部材が上記取付け孔に挿通支持された上記取付けねじを中心とする回転方向に動くのを阻止する回転防止手段と
を具備したことを特徴とするベッド装置。
【請求項２】
上記回転防止手段は、
上記取付けねじが挿通される通孔が形成され上記側部材とこの側部材に取付けられる上記支持部材との間に介在して上記側部材に回転不能に保持されるスペーサと、
上記スペーサと上記支持部材のどちらか一方に突設された係合ピン及び他方に設けられ上記係合ピンが係合して上記支持部材が上記取付け孔に挿通された上記取付けねじを中心として回転するのを阻止する係合孔と
によって構成されていることを特徴とする請求項１記載のベッド装置。
【請求項３】
上記回転防止手段は、上記支持部材と上記側部材のどちらか一方に突設された係合ピン及び他方に設けられ上記係合ピンが係合して上記支持部材が上記取付け孔に挿通された上記取付けねじを中心として回転するのを阻止する係合孔と
によって構成されていることを特徴とする請求項１記載のベッド装置。
【請求項４】
ベッドフレームの側部材に一対の脚部を有する被取付け体が保持されるベッド装置であって、
上記脚部を支持する支持部を有する一対の支持部材と、
この支持部材に突設され上記ベッドフレームの側部材の側面に上記一対の脚部と対応する間隔で設けられた取付け孔に挿通される取付けねじと、
上記取付け孔に挿通された上記取付けねじの端部に螺合され上記支持部材を上記側部材に着脱可能に取付け固定するめねじと、
上記取付け孔に挿通された上記取付けねじに上記めねじを螺合して上記支持部材を上記側部材に固定する前に、この支持部材が上記取付け孔に挿通支持された上記取付けねじを中心とする回転方向に動くのを阻止する回転防止手段を具備し、
上記回転防止手段は、
一端部と他端部とに上記一対の支持部材に突設された上記取付けねじが挿通される通孔が上記一対の脚部と対応する間隔で形成され各通孔に上記取付けねじがそれぞれ挿通されて上記一端部と他端部とが上記側部材と一対の支持部材との間に介在するスペーサと、
このスペーサと上記支持部材のどちらか一方に突設された係合ピン及び他方に設けられ上記係合ピンが係合して上記支持部材が上記取付け孔に挿通された上記取付けねじを中心として回転方向に動くのを阻止する係合孔とによって構成されていることを特徴とするベッド装置。
【請求項５】
ベッドフレームの側部に被取付け体が保持されるベッド装置であって、
上記被取付け体を支持する支持部を有する支持部材と、
この支持部材に突設され上記ベッドフレームの側部材の側面に設けられた取付け孔に挿通される取付けねじと、
上記側部材から突出した上記取付けねじの端部に螺合され上記支持部材を上記側部材に着脱可能に取付け固定するめねじと
を具備したことを特徴とするベッド装置。
【発明の詳細な説明】
【技術分野】
【０００１】
この発明はベッド本体の側部材にたとえば手摺りや側柵などの被取付け体が支持されるベッド装置に関する。
【背景技術】
【０００２】
一般に、ベッド装置は一対の側部材の長手方向一端にヘッドボードが連結され、他端にフットボードが連結されてベッド本体が構成されている。このベッド本体の一対の側部材間には床板が上記側部材の内面に設けられた受け桟に幅方向の両端部を係合させて架設されている。そして、この床板上にマットレスが載置される。
【０００３】
ベッド装置を老人や体の不自由な人が利用する場合、上記側部材には利用者がマットレス上から起き上がったり、仰臥するときに掴まるための手摺りを設けたり、利用者が就寝中にマットレス上から落ちるのを防止したり、掛け布団がずれ落ちるのを防止するためなどに側柵を設けるようにしている。上記側部材には、手摺りや側柵に代わり、利用者が小物類を置くためのテーブルが取付けられるということもある。
【０００４】
上記手摺り、側柵或いはテーブルなどの被取付け体は、利用者の頭部側に設けたり、足部側に設けたりすることが要求されることがあり、さらには不要になった場合にはベッド装置の利用者の邪魔にならないように側柵から取り外すことが要求される。すなわち、上記被取付け体は、上記ベッド装置の側柵に対して取付け位置の変更及び着脱可能であることが要求される。
【０００５】
特許文献１には側柵の支持装置が示されている。この特許文献１に示された支持装置は上部材と、この上部材に一端が枢着された下部材を有し、この下部材の他端は上記上部材に止めねじによって固定することができるようになっている。
【０００６】
上記上部材の一端部には凹部が形成され、この凹部をベッドフレームの側部材に係合させて上記下部材の他端を止めねじによって上記上部材に固定することで、上部材と下部材とが上記側部材に固定される。
【０００７】
上記上部材の他端には回動部材が枢着され、この回動部材には側柵の脚部が挿入支持される支持孔が形成されている。したがって、上記側部材の上記被取付け体を設ける位置に上記支持装置を取付け、この支持装置の支持孔に被取付け体の脚部を差し込むことで、被取付け体を所望する位置に着脱可能に取り付けることができるようになっている。
【特許文献１】特開平９−１３１２４２号公報
【発明の開示】
【発明が解決しようとする課題】
【０００８】
ところで、上述した従来の支持装置は、側部材に取付け固定するために、この側部材を挟持する構造であるから、上部材及びこの上部材に一端が枢着された下部材が必要となり、さらに被取付け部材の脚部を支持するための支持孔を有する回動部材を上記上部材に枢着しなければならない。
【０００９】
そのため、支持装置を構成する部品点数が多くなるばかりか、構造が複雑化するということがあり、その点で改良が望まれていた。しかも、支持装置は上部材と下部材とが側部材を挟持して固定されている。そのため、この支持装置を側部材に対して着脱する際、上部材に対して下部材を開かなければならないから、ベッドフレームに載置された床フレームやこの床フレームに載置されたマットレスを除去しなければ、上記支持装置を側部材に対して着脱することができず、不便であるということもある。
【００１０】
この発明は、被取付け部材を支持するための支持部材を、簡単な構造であって、しかもベッドフレームの側部材に対して容易に着脱したり、取付け位置を変更することができるベッド装置を提供することにある。
【課題を解決するための手段】
【００１１】
この発明は、ベッドフレームの側部材に被取付け体が保持されるベッド装置であって、
上記被取付け体を支持する支持部を有する支持部材と、
この支持部材に突設され上記ベッドフレームの側部材の側面に設けられた取付け孔に挿通される取付けねじと、
上記取付け孔に挿通された上記取付けねじの端部に螺合され上記支持部材を上記側部材に着脱可能に取付け固定するめねじと、
上記取付け孔に挿通された上記取付けねじに上記めねじを螺合して上記支持部材を上記側部材に固定する前に、この支持部材が上記取付け孔に挿通支持された上記取付けねじを中心とする回転方向に動くのを阻止する回転防止手段と
を具備したことを特徴とするベッド装置にある。
【００１２】
上記回転防止手段は、
上記取付けねじが挿通される通孔が形成され上記側部材とこの側部材に取付けられる上記支持部材との間に介在して上記側部材に回転不能に保持されるスペーサと、
上記スペーサと上記支持部材のどちらか一方に突設された係合ピン及び他方に設けられ上記係合ピンが係合して上記支持部材が上記取付け孔に挿通された上記取付けねじを中心として回転するのを阻止する係合孔と
によって構成されていることが好ましい。
【００１３】
上記回転防止手段は、上記支持部材と上記側部材のどちらか一方に突設された係合ピン及び他方に設けられ上記係合ピンが係合して上記支持部材が上記取付け孔に挿通された上記取付けねじを中心として回転するのを阻止する係合孔と
によって構成されていることが好ましい。
【００１４】
この発明は、ベッドフレームの側部材に一対の脚部を有する被取付け体が保持されるベッド装置であって、
上記脚部を支持する支持部を有する一対の支持部材と、
この支持部材に突設され上記ベッドフレームの側部材の側面に上記一対の脚部と対応する間隔で設けられた取付け孔に挿通される取付けねじと、
上記取付け孔に挿通された上記取付けねじの端部に螺合され上記支持部材を上記側部材に着脱可能に取付け固定するめねじと、
上記取付け孔に挿通された上記取付けねじに上記めねじを螺合して上記支持部材を上記側部材に固定する前に、この支持部材が上記取付け孔に挿通支持された上記取付けねじを中心とする回転方向に動くのを阻止する回転防止手段を具備し、
上記回転防止手段は、
一端部と他端部とに上記一対の支持部材に突設された上記取付けねじが挿通される通孔が上記一対の脚部と対応する間隔で形成され各通孔に上記取付けねじがそれぞれ挿通されて上記一端部と他端部とが上記側部材と一対の支持部材との間に介在するスペーサと、
このスペーサと上記支持部材のどちらか一方に突設された係合ピン及び他方に設けられ上記係合ピンが係合して上記支持部材が上記取付け孔に挿通された上記取付けねじを中心として回転方向に動くのを阻止する係合孔とによって構成されていることを特徴とするベッド装置にある。
【００１５】
この発明はベッドフレームの側部に被取付け体が保持されるベッド装置であって、
上記被取付け体を支持する支持部を有する支持部材と、
この支持部材に突設され上記ベッドフレームの側部材の側面に設けられた取付け孔に挿通される取付けねじと、
上記側部材から突出した上記取付けねじの端部に螺合され上記支持部材を上記側部材に着脱可能に取付け固定するめねじと
を具備したことを特徴とするベッド装置にある。
【発明の効果】
【００１６】
この発明によれば、被取付け体を支持する支持部を有する支持部材に取付けねじを突設し、この取付けねじをベッドフレームの側部材の側面に設けられた取付け孔に挿通してめねじによって固定するため、少ない部品点数によって簡単な構造とすることができるばかりか、側部材に対する着脱も容易に行なうことができ、しかも側部材に設けられる取付け孔の数によって取付け位置の変更も容易に行なうことが可能となる。
【発明を実施するための最良の形態】
【００１７】
以下、この発明の実施の形態の形態を図面を参照して説明する。  
図１乃至図６はこの発明の第１の実施の形態を示し、図１（ａ），（ｂ）はこの発明のベッド装置を示し、このベッド装置は同図（ｂ）に示すようにベースフレーム１を備えている。このベースフレーム１にはベッドフレーム２が図示しない上下駆動機構によって上下駆動可能に設けられている。
【００１８】
上記ベッドフレーム２は所定間隔で平行に離間した一対の側部材３を有する。これら側部材３の長手方向一端にはヘッドボード４が連結固定され、他端にはフットボード５が連結固定されている。
【００１９】
上記ベッドフレーム２の内部には、複数の床部、この実施の形態では６枚の床部６ａ〜６ｆに分割されるとともに、隣り合う床部が回動可能に連結された床板体７が、上記側部材３の内面に幅方向の両端部を後述するように係合させて保持されている。上記床板体７の上面にはマットレス（図示せず）が載置される。
【００２０】
上記ベッドフレーム２には図示しない背上げ機構が設けられている。この背上げ機構は上記床板体７のうちの、ベッドフレーム２の長手方向中央部に位置する２枚の床部６ｃ、６ｄを除くヘッドボード４側とフットボード５側に位置するそれぞれ２枚の床部６ａ，６ｂ及び６ｅ，６ｆを起伏駆動することができるようになっている。それによって、上記マットレス上に仰臥した利用者の上半身を起こしたり、脚部を上昇させて保持するなどのことができるようになっている。
【００２１】
上記側部材２は図２に示すように金属製の角パイプからなる中間部材１１を有する。この中間部材１１の上面には木材や合成樹脂によって帯板状に形成された第１の部材１２が設けれ、下面には同じく帯板状の第２の部材１３が設けられる。上記中間部材１１は第１、第２の部材１２，１３よりもベッドフレーム２の幅方向に沿う厚さ寸法が大きく設定されている。
【００２２】
第１、第２の部材１２，１３は外面を中間部材１１の外面と面一にして配置されている。そして、第１、第２の部材１２，１３と中間部材１１は、一辺を第１、第２の部材１２，１３の内面に固定し、他辺を中間部材１１の上下面固定した断面形状がＬ字状の一対の連結部材１６によって一体的に連結されている。つまり、側部材３は上下方向に対して三分割されている。
【００２３】
上記中間部材１１の厚さ方向の一端部は第１、第２の部材１２，１３の内面よりもベッド本体１の幅方向内方に突出していて、その突出部分には上記床板体７が幅方向の両端部を係合させて設けられている。第１の床板１５の上下方向の厚さ寸法は第１の部材１２の高さ寸法とほぼ同じに設定されている。それによって、床板体１２の上面が側部材３の上端から上方へ突出しないようになっている。
【００２４】
上記第１の部材１２は第２の部材１３よりも高さ寸法が小さく設定されている。そのため、第１の部材１２と第２の部材１３を中間部材１１に対して上下逆にして設ければ、この第２の部材１３の高さ寸法に対応する厚さ寸法の床板体７を、上面が側部材２の上端から上方へ突出しない状態でベッド本体１に架設することができる。つまり、側部材２を上下方向に三分割したことで、厚さの異なる厚さの床板体７を、上面が側部材２の上端から上方へ突出しないよう架設することができる。
【００２５】
しかも、中間部材１１の厚さ寸法を第１、第２の部材１２，１３の厚さ寸法よりも大きくし、その厚さ方向の一端部を第１、第２の部材１２，１３の内面側に突出させた。そのため、中間部材１１の突出した幅方向の一端部に床板体７幅方向両端部を係合させて支持することができる。つまり、側部材２の内面に床板体７を架設するための受け桟を設けなくてすむ。
【００２６】
上記ベッド本体１の一側には図１（ｂ）に示すように被取付け体としての側柵２１が取付けられる。この側柵２１はパイプ材を矩形枠状に形成した枠部２２ａと、この枠部２２ａの幅方向の中途部に垂設された一対の脚部２２ｂとによって形成されている。  
なお、側柵２１の上端は角パイプが用いられ、この角パイプの上面には利用者が手を掛けたときの滑り止めを兼ねるクッションシート２３が貼着されている。
【００２７】
上記側柵２１は一対の支持部材２５によって上記側部材２に支持される。この支持部材２５は、図２と図３に示すように内径寸法が上記脚部２２ｂの外径寸法よりもわずかに小さく設定された短管２６を有する。この短管２６には板材を側面形状がコ字状となるよう曲成した取付け部材２７がその上辺２７ａと下辺２７ｂを上記短管２６の上端と下端とに溶接などによって固定して設けられている。
【００２８】
図３（ｃ）に示すように、上記上辺２７ａには上記短管２６の上端が嵌合される上部孔２８ａが形成され、下辺２７ｂは上記短管２６の下端面に固定され、この下辺２７ｂには上記短管２６の内径寸法よりも小径な下部孔２８ｂが形成されている。それによって、上記短管２６に挿入された上記脚部２２ｂは上記下辺２７ｂによって上記短管２６内に支持されるようになっている。つまり、短管２６は側柵２１の脚部２２ｂを支持する支持部を形成している。
【００２９】
上記取付け部材２７の中間辺２７ｃの上部には、一端部におねじ２９ａが形成された取付けねじ２９の他端部が溶接などによって固定されている。この取付けねじ２９は、軸線を上記短管２６の軸線と直交させている。つまり、取付けねじ２９は上記取付け部材２７の中間辺２７ｃに垂直に設けられている。  
そして、上記短管２６の外周面は、上記取付け部材２７の中間辺２７ｃの外面を除く部分がウレタンフォームなどの弾性材３１によって被覆されている。
【００３０】
上記構成の支持部材２５は上記側部材３の中間部材１１に着脱可能に取付け固定される。すなわち、上記中間部材１１には、図２に示すように上記ベッドフレーム２の幅方向に位置する一対の側面のうちの外面に第１の取付け孔３２ａが穿設され、内面には第１の取付け孔３２ａに対向する位置に第２の取付け孔３２ｂが穿設されている。第１の取付け孔３２ａは上記取付けねじ２９とほぼ同径であって、第２の取付け孔３２ｂは上記おねじ２９ａとほぼ同径に形成されている。  
なお、中間部材１１には、上記第１、第２の取付け孔３２ａ，３２ｂが上記側柵２１に設けられた一対の脚部２２ｂの間隔と対応する間隔で複数形成されている。
【００３１】
上記支持部材２５はスペーサ３４を介して上記側部材３の外面に取付け固定される。上記スペーサ３４は図４（ａ），（ｂ）に示すように帯状の板材によって連結部３４ａ及びこの連結部３４ａの一端と他端にそれぞれ介在部３４ｂが一体に形成されている。
【００３２】
一対の介在部３４ｂには上記取付けねじ２９が挿通される通孔３５が形成されているとともに、上記取付け部材２７の中間辺２７ｃの下部に形成された係合孔２７ｄ（図３（ｄ）に示す）に係合する係合ピン３６が突設されている。
【００３３】
上記スペーサ３４の一対の通孔３５は、上記中間部材１１に形成された第１、第２の取付け孔３２ａ，３２ｂの間隔、つまり側柵２１に設けられた一対の脚部２２ｂと対応する間隔で形成されている。
【００３４】
一対の支持部材２５を側部材３に取付けるには、まず、図５（ａ）〜（ｃ）に示すようにスペーサ３４の一対の介在部３４ｂに設けられた通孔３５に上記支持部材２５に突設された取付けねじ２９を挿入し、図２に示すように上記支持部材２５の取付け部材２７の中間辺２７ｃに形成された係合孔２７ｄを上記スペーサ３４の介在部３４ｂに突設された係合ピン３６に係合させる。
【００３５】
それによって、一対の支持部材２５は上記スペーサ３４によって間隔が設定されるとともに、係合孔２７ｄと係合ピン３６との係合によって取付けねじ２９を回転中心とする回転方向に対して位置決めされる。つまり、一対の支持部材２５は短管２６の軸線が平行になる状態で位置決めされ、その状態で回転不能に保持される。
【００３６】
このようにしてスペーサ３４に一対の支持部材２５を保持したならば、スペーサ３４の介在部３４ｂから突出した一対の支持部材２５の取付けねじ２９をベッドフレーム２の側部材３の中間部材１１の側面に形成された第１の取付け孔３２ａにそれぞれ挿入し、その先端部に形成されたおねじ２９ａを第２の取付け孔３２ｂから上記中間部材１１の内面に突出させる。
【００３７】
そして、図２に示すように上記第２の取付け孔３２ｂから突出したおねじ２９ａにめねじ３８を螺合することで、上記支持部材２５はスペーサ３４を介して上記側部材３の中間部材１１に着脱可能に取付け固定される。
【００３８】
このようにして、上記側部材３に一対の支持部材２５を取付け固定したならば、これら支持部材２５の短管２６には図１（ｂ）に示すように上記側柵２１の一対の脚部２２ｂが挿入保持される。
【００３９】
このような構成のベッド装置によれば、ベッドフレーム２に側柵２１を保持するための支持部材２５は短管２６にコ字状の取付け部材２７を取付け、この取付け部材２７に取付けねじ２９を突設しただけの構成である。そのため、側柵２１をベッドフレーム２に支持ずる構造は、部品点数が少なく、構造も簡単であるから、比較的安価に提供することができる。
【００４０】
一対の支持部材２５を上記側部材３に取付ける際、支持部材２５と側部材３との間にスペーサ３４を介在させるようにした。スペーサ３４は一対の介在部３４ｂを有し、これらの介在部３４ｂには支持部材２５に突設された取付けねじ２９が挿通される通孔３５が形成されている。そのため、一対の支持部材２５の取付けねじ２９を上記側部材３に形成された第１、第２の取付け孔３２ａ，３２ｂに挿入すれば、上記スペーサ３４は側部材３に対して回転不能に保持される。
【００４１】
上記スペーサ３４には支持部材２５の取付け部材２７に形成された係合孔２７ｄに係合する係合ピン３６が設けられている。そのため、上記取付けねじ２９を上記側部材３に形成された第１、第２の取付け孔３２ａ，３２ｂに挿入することで、上記側部材３にスペーサ３４を介して保持された一対の支持部材２５は、上記係合孔２７ｄと係合ピン３６との係合によって上記取付けねじ２９の軸芯を中心とする回転方向に対して動くことのない状態で位置決めされる。
【００４２】
それによって、上記第２の取付け孔３２ｂから突出した上記取付けねじ２９のおねじ２９ａにめねじ３８を螺合して支持部材２５を側部材３に固定する際、上記支持部材２５が上記取付けねじ２９の軸芯を中心にして回転方向に動くのが阻止される。
【００４３】
そのため、一対の支持部材２５はそれら短管２６の軸線が垂直な状態で上記側部材３に固定されるから、固定された一対の支持部材２５の短管２６に側柵２１の脚部２２ｂを確実に挿入して支持することができる。
【００４４】
つまり、支持部材２５を側部材３にめねじ３８を締め込んで固定する際、その支持部材２５が回転方向に動くことがないから、上記支持部材２５の取付け固定、つまりベッドフレーム２に対する側柵２１の取付けを容易に、しかも確実に行なうことができる。
【００４５】
上記支持部材２５は上記側部材３の側面に対して着脱可能に取り付け固定されている。そのため、支持部材２５は側部材３の側方、つまりベッドフレーム２の幅方向に対して着脱できるから、その着脱の際に床板体７やこの床板体７に載置されるマットレスが邪魔になることがない。それによって、上記支持部材２５をベッドフレーム２に対して容易に着脱することができる。
【００４６】
上記支持部材２５が側部材３に対して着脱自在に設けられているため、側柵２１を使用しない場合には上記支持部材２５をベッドフレーム２の側部材３から取り外すことができる。それによって、側柵２１を使用しないときに、上記支持部材２５が側部材３の外面に突出したまま残留して邪魔になるということがない。
【００４７】
図１（ｂ）では側柵２１がヘッドボード４側に設けられている状態を示しているが、一対の支持部材２５を同図に鎖線で示すように側部材３のフットボード５側に設ければ、上記側柵２１をフットボード５側に保持することができる。すなわち、側部材３に側柵２１の一対の脚部２２ｂと同じ間隔で複数の取付け孔３２ａ，３２ｂを形成したので、上記側柵２１を上記側部材３の所望する位置に取り付けることができる。
【００４８】
図６はこの発明の第２の実施の形態を示す。第１の実施の形態ではスペーサ３４の介在部３４ｂに係合ピン３６を突設し、支持部材２５の取付け部材２７の中間辺２７ｃに係合孔２７ｄを形成したが、この第２の実施の形態では支持部材２５の取付け部材２７の中間辺２７ｃに上記係合ピン３６を突設し、スペーサ３４の介在部３４ｂに上記係合ピン３６が係合する係合孔２７ｄを形成するようにした。
【００４９】
このような構成であっても、上記第１の実施の形態と同様、上記支持部材２５を上記スペーサ３４によって上記側部材３に回転不能かつ回転方向に位置決めして保持することができる。
【００５０】
なお、この第２の実施の形態において、スペーサ３４が薄い場合には、係合孔２７ｄをスペーサ３４の介在部３４ｂだけでなく、側部材３の中間部材１３の側面にも形成すれば、上記係合ピン３６を確実に係合保持することができる。
【００５１】
図７はこの発明の第３の実施の形態を示す。この実施の形態は被取付け体として側柵に代わり、たとえば脚部２２ｂが１つのテーブルなどを支持する場合であって、その場合には１つの支持部材２５が用いられる。
【００５２】
上記支持部材２５の取付けねじ２９のおねじ２９ａにめねじ３８を螺合して側部材３に取付け固定する場合、上記支持部材２５を回転方向に対して回転不能に保持するためにスペーサ３４Ｂが用いられる。この場合のスペーサ３４Ｂは連結部３４ａの一端に上記第１の実施の形態と同様の介在部３４ｂが設けられ、他端には上記支持部材２５に設けられた取付けねじ２９の上記連結部３４ａから突出した部分と同じ構成の取付けねじ２９Ｂが突設されている。一対の取付けねじ２９，２９Ｂの間隔は側部材３に形成された取付け孔と同じ間隔に設定されている。
【００５３】
それによって、支持部材２５の取付けねじ２９にスペーサ３４Ｂの一端に設けられた介在部３４ｂを装着する。そして、上記支持部材２５の取付けねじ２９及びスペーサ３４Ｂの他端に設けられた取付けねじ２９Ｂを側部材３に設けられた一対の取付け孔にする。
【００５４】
それによって、上記スペーサ３４Ｂは一対の取付けねじ２９，２９Ｂによって側部材３に回転不能に保持され、上記支持部材２５はスペーサ３４Ｂの介在部３４ｂに回転不能に保持されるから、この支持部材２５の上記側部材３の取付け孔から突出した取付けねじ２９のおねじ２９ａにめねじ３８を螺合する際、上記支持部材２５が回転方向に動くのを阻止することができる。
【００５５】
さらに、スペーサ３４Ｂの他端に設けられた取付けねじ２９Ｂのおねじ２９ａにめねじ３８を螺合すれば、上記スペーサ３４Ｂを側部材３に確実に保持することができる。
【００５６】
なお、この第３の実施の形態において、スペーサ３４Ｂの他端に取付けねじ２９Ｂを設けたが、取付けねじ２９Ｂに代わり、側部材３の取付け孔に係合するピンを突設してもよい。
【００５７】
図８はこの発明の第４の実施の形態を示す。この実施の形態は支持部材２５が回転するのを防止する回転防止手段の変形例である。この実施の形態では、図６に示す第２の実施の形態のように支持部材２５に係合ピン３６を突設する一方、側部材３の中間部材１１の側面に上記係合ピン３６が係合する係合孔２７ｄを形成するようにした。
【００５８】
このような構成によれば、スペーサを用いずに回転防止手段を構成することができるから、構成を簡略化することが可能となる。
【００５９】
なお、この第４の実施の形態において、図示しないが支持部材に係合孔を形成し、側部材の側面に係合ピンを設けるようにしても差し支えない。
【図面の簡単な説明】
【００６０】
【図１】（ａ）はこの発明の第１の実施の形態を示すベッド装置の平面図、（ｂ）は同じく側面図。
【図２】側部材に取付けられた支持部材を示す一部断面した側面図。
【図３】（ａ）〜（ｄ）はそれぞれ支持部材を示す図。
【図４】（ａ）はスペーサの側面図、（ｂ）は同じく正面図。
【図５】（ａ）は一対の支持部材をスペーサに装着した平面図、（ｂ）は同じく正面図、（ｃ）は側面図。
【図６】この発明の第２の実施の形態を示す支持部材とスペーサを示す側面図。
【図７】この発明の第３の実施の形態を示す１つの支持部材をスペーサに装着した平面図。
【図８】この発明の第４の実施の形態を示す支持部材と側部材を示す側面図。
【符号の説明】
【００６１】
２…ベッドフレーム、３…側部材、１１…中間部材、１２…第１の部材、１３…第２の部材、２１…側柵（被取付け体）、２２ｂ…脚部、２５…支持部材、２７ｄ…係合孔、２９…取付けねじ、３２ａ，３２ｂ…取付け孔、３４…スペーサ、３５…通孔、３６…係合ピン、３８…めねじ。
【図１】
2008012054.tif 000003
【図２】
2008012054.tif 000004
【図３】
2008012054.tif 000005
【図４】
2008012054.tif 000006
【図５】
2008012054.tif 000007
【図６】
2008012054.tif 000008
【図７】
2008012054.tif 000009
【図８】
2008012054.tif 000010